(57)【特許請求の範囲】
【請求項１】
各フロアーに設けられた排水機器から床スラブ上面に沿って設けられた上面側既設横枝管の横枝管接続部を、各フロアーの床スラブの上面側に有する第１の既設排水立て管路と、
各フロアーに設けられた排水機器から床スラブを貫通して設けられた貫通既設横枝管の横枝管接続部を、各フロアーの床スラブの下面側に有する第２の既設排水立て管路とを、少なくとも１本ずつ並ぶように備える多層建築物の排水立て管路改修構造であって、
胴部の上部に少なくとも１つの横枝管接続部を有し、胴部の下端が差口部となり、胴部内径が上端に接続される排水立て管の内径より大きい改修用の第１集合継手が、第１の既設排水立て管路及び第２の既設排水立て管路のいずれか一つの既設排水立て管路の撤去によって生じた床スラブ貫通孔に、前記差口部の下端部が床スラブの下方から突出し、前記横枝管接続部が床スラブ上方に配置された状態で床スラブに支持され、前記床スラブの下方に突き出た前記差口部下端が改修用の第２集合継手の上端に設けられたゴム輪付き受口にワンタッチ接続され、第２集合継手の下端が下の階の排水立て管に接続された１本の更新排水立て管路が形成されるとともに、第１の既設排水立て管路及び第２の既設排水立て管路に接続されていた各フロアーの排水機器が横枝管を介して各フロアーの床スラブの上下で前記更新排水立て管路に接続されていることを特徴とする多層建築物の排水立て管路の改修構造。
【請求項２】
第１集合継手は、横枝管接続部を有する上部継手部と、差口部を有する短管形状の下部継手部とを備え、前記上部継手部と前記下部継手部とが、分離可能な接続構造を備えている請求項１に記載の多層建築物の排水立て管路の改修構造。
【請求項３】
排水機器が、貫通既設横枝管の少なくとも床スラブ貫通部分を用いて更新排水立て管路に接続されている請求項１または請求項２に記載の多層建築物の排水立て管路の改修構造。
【請求項４】
第２集合継手は、横枝管接続部が設けられた大径筒部と、内径が前記大径筒部の下端から排水立て管の内径となるまで縮径するテーパ筒部を備えている請求項１〜請求項３のいずれかに記載の多層建築物の排水立て管路の改修構造。
【請求項５】
各フロアーに設けられた排水機器から床スラブ上面に沿って設けられた上面側既設横枝管の横枝管接続部を、各フロアーの床スラブの上面側に有する第１の既設排水立て管路と、
各フロアーに設けられた排水機器から床スラブを貫通して設けられた貫通既設横枝管の横枝管接続部を、各フロアーの床スラブの下面側に有する第２の既設排水立て管路とを、少なくとも１本ずつ並ぶように備える多層建築物の排水立て管路改修方法であって、
前記第１の既設排水立て管路及び第２の既設排水立て管路のいずれか一つの既設排水立て管路を撤去する工程と、
胴部の上部に少なくとも１つの横枝管接続部を有し、胴部の下端が差口部となり、胴部内径が上端に接続される排水立て管の内径より大きい改修用の第１集合継手を、前記差口部の下端部が床スラブの下方から突出し、前記横枝管接続部が床スラブ上方に配置された状態で床スラブに支持する工程と、
前記床スラブの下方に突き出た前記差口部下端を改修用の第２集合継手の上端に設けられたゴム輪付き受口にワンタッチ接続する工程と、
第２集合継手の下端に排水立て管を接続する工程とを行い、１本の更新排水立て管路を配管施工するとともに、
前記更新排水立て管路の各フロアーの床スラブの上下で第１の既設排水立て管路及び第２の既設排水立て管路に接続されていた各フロアーの排水機器を、横枝管を介して接続することを特徴とする多層建築物の排水立て管路改修方法。
【発明の詳細な説明】
【技術分野】
【０００１】
本発明は、多層建築物の排水立て管路の改修構造、および、多層建築物の排水立て管路改修方法に関する。
【背景技術】
【０００２】
排水管路は、長期間使用しているうちに、内部に錆が発生し、この錆びた部分に汚物等が付着するなどして詰りが生じる、あるいは、管壁に孔があき、漏水が発生するおそれがあるため、定期的に検査され、上記問題が生じる虞がある場合には、旧い配管材を取り除き、新しい配管に更新する工事が行われる。
また、多層建築物においては、トイレの汚水を流す排水立て管路と、洗面所や浴槽の排水などの雑排水を流す排水立て管路がそれぞれ設けられ、これらが平行して設けられている。
【０００３】
一方、昨今は、下水道設備が整備され、上記のように汚水と雑排水とを混在させて下水道に排水することができるようになっているとともに、継手内部に旋回羽根が設けられた集合継手を排水立て管路の横枝管が接続される部分に用いることによって、排水立て管路自体の排水性能が上がるようになり、１つの排水立て管路に各フロアーの汚水と雑排水を纏めて排水できるようになっている（例えば、特許文献１，２参照）。
そこで、上記のような汚水用排水立て管路と、雑排水用排水立て管路とを平行に備える既設の多層建築物においても、排水立て管路を改修する上において、上記のような集合継手を用いて、汚水用排水立て管路と、雑排水用排水立て管路とを１本の更新用排水立て管路に纏めることが考えられる。
【先行技術文献】
【特許文献】
【０００４】
【特許文献１】特許３３７２８１７号公報
【特許文献２】特開２００１−３４８９２５号公報
【発明の概要】
【発明が解決しようとする課題】
【０００５】
しかし、従来の多層建築物では、改修しようとする既設排水立て管路が以下のような構造となっているものがある。
すなわち、図１４に示すように、第１の既設排水立て管路１００は、床スラブＳの上面に沿って設けられた横枝管Ｐ２が、床スラブＳの上面側に配置された継手１１０の横枝管接続部１１１に接続されていて、この横枝管Ｐ２を介して各フロアーのトイレの汚水がそれぞれ流入するようになっている。
一方、第２の既設排水立て管路２００は、床スラブＳを貫通し、床スラブＳの下面に沿って、すなわち、下の階の天井裏に沿って設けられた貫通横枝管Ｐ３，Ｐ４が、床スラブＳの下面側に配置された継手２１０，２２０の横枝管接続部２１１，２２１にそれぞれ接続されていて、各フロアーの洗面所や浴槽から排水される雑排水がこの貫通横枝管Ｐ３，Ｐ４を介してそれぞれ流入する。
なお、図１４中、Ｐ１は排水立て管である。
【０００６】
かかる多層建築物においては、これら既設排水立て管路に平行して、さらに、給水管やガス配管などが設けられており、改修時の各フロアーでの施工スペースが非常に狭い。
したがって、各フロアーで上下に分かれた横枝管をいずれか床フロアーの床スラブの上側または下側に纏めるという作業を行えない場合がある。
【０００７】
また、不要になった既設排水管路や横枝管の床スラブ貫通部を取り除くには、床スラブＳの既設排水立て管路の周囲部分をハツる作業が必要であるが、大きくハツると、床スラブの強度低下や建物躯体の強度低下に繋がる。また、改修の場合、各住戸に居住する人がいるため、床スラブをハツる作業のような騒音の発生する作業を極力少なくする必要がある。
【０００８】
本発明は、上記事情に鑑みて、各フロアーに設けられた排水機器から床スラブ上面に沿って設けられた上面側既設横枝管の横枝管接続部を、各フロアーの床スラブの上面側に有する第１の既設排水立て管路と、各フロアーに設けられた排水機器から床スラブを貫通して設けられた貫通既設横枝管の横枝管接続部を、各フロアーの床スラブの下面側に有する第２の既設排水立て管路とを、少なくとも１本ずつ並ぶように備える多層建築物において、居住民にできるだけ、負担をかけることなく、単管式の排水立て管路への改修を容易に行うことができる多層建築物の排水立て管路の改修構造、および、多層建築物の排水立て管路改修方法を提供することを目的としている。
【課題を解決するための手段】
【０００９】
上記目的を達成するために、本発明にかかる多層建築物の排水立て管路の改修構造は、各フロアーに設けられた排水機器から床スラブ上面に沿って設けられた上面側既設横枝管の横枝管接続部を、各フロアーの床スラブの上面側に有する第１の既設排水立て管路と、
各フロアーに設けられた排水機器から床スラブを貫通して設けられた貫通既設横枝管の横枝管接続部を、各フロアーの床スラブの下面側に有する第２の既設排水立て管路とを、少なくとも１本ずつ並ぶように備える多層建築物の排水立て管路改修構造であって、胴部の上部に少なくとも１つの横枝管接続部を有し、胴部の下端が差口部となり、胴部内径が上端に接続される排水立て管の内径より大きい改修用の第１集合継手が、第１の既設排水立て管路及び第２の既設排水立て管路のいずれか一つの既設排水立て管路の撤去によって生じた床スラブ貫通孔に、前記差口部の下端部が床スラブの下方から突出し、前記横枝管接続部が床スラブ上方に配置された状態で床スラブに支持され、前記床スラブの下方に突き出た前記差口部下端が改修用の第２集合継手の上端に設けられたゴム輪付き受口にワンタッチ接続され、第２集合継手の下端が下の階の排水立て管に接続された１本の更新排水立て管路が形成されるとともに、第１の既設排水立て管路及び第２の既設排水立て管路に接続されていた各フロアーの排水機器が横枝管を介して各フロアーの床スラブの上下で前記更新排水立て管路に接続されていることを特徴としている。
【００１０】
特に限定されないが、本発明においては、さらに、以下のような構成とすることが好ましい。
すなわち、上記第１集合継手は、横枝管接続部を有する上部継手部と、差口部を有する短管形状の下部継手部とを備え、前記上部継手部と前記下部継手部とが、分離可能な接続構造を備えていることが好ましい。
排水機器は、貫通既設横枝管の少なくとも床スラブ貫通部分を用いて更新排水立て管路に接続されていることが好ましい。すなわち、貫通既設横枝管の床スラブ貫通部分を床スラブから撤去する必要がないので、床スラブの弱体を防止することができる。また、施工工数や撤去工事時の騒音も減らすことができる。
【００１１】
第２集合継手は、特に限定されないが、横枝管接続部が設けられた大径筒部と、内径が前記大径筒部の下端から排水立て管の内径となるまで縮径するテーパ筒部を備えていることが好ましい。
【００１２】
一方、本発明にかかる多層建築物の排水立て管路改修方法は、各フロアーに設けられた排水機器から床スラブ上面に沿って設けられた上面側既設横枝管の横枝管接続部を、各フロアーの床スラブの上面側に有する第１の既設排水立て管路と、各フロアーに設けられた排水機器から床スラブを貫通して設けられた貫通既設横枝管の横枝管接続部を、各フロアーの床スラブの下面側に有する第２の既設排水立て管路とを、少なくとも１本ずつ並ぶように備える多層建築物の排水立て管路改修方法であって、前記第１の既設排水立て管路及び第２の既設排水立て管路のいずれか一つの既設排水立て管路を撤去する工程と、胴部の上部に少なくとも１つの横枝管接続部を有し、胴部の下端が差口部となり、胴部内径が上端に接続される排水立て管の内径より大きい改修用の第１集合継手を、前記差口部の下端部が床スラブの下方から突出し、前記横枝管接続部が床スラブ上方に配置された状態で床スラブに支持する工程と、前記床スラブの下方に突き出た前記差口部下端を改修用の第２集合継手の上端に設けられたゴム輪付き受口にワンタッチ接続する工程と、第２集合継手の下端に排水立て管を接続する工程とを行い、１本の更新排水立て管路を配管施工するとともに、前記更新排水立て管路の各フロアーの床スラブの上下で第１の既設排水立て管路及び第２の既設排水立て管路に接続されていた各フロアーの排水機器を、横枝管を介して接続することを特徴としている。
【００１３】
本発明の多層建築物の排水立て管路の改修構造または改修方法の第１集合継手としては、特に限定されないが、横枝管接続部を有する上部継手部と、上端に上部継手部下端を受ける受口部を有し、下端に前記差口部を有する短管形状の下部継手部とを備え、前記上部継手部と前記下部継手部とが、分離可能に構成されていることが好ましい。
すなわち、上部継手部を一旦下部継手部から分離し、上部継手部の下端部を必要に応じて切断したのち、下部継手部の受口部に再接続すれば、横枝管接続部の高さ位置を調整することができる。
【００１４】
また、上部継手部と下部継手部との接続部を床スラブより上側になるように配置しておくことによって、貫通孔にモルタルを詰めて下部継手部が床スラブにしっかり固定されていても、上部継手部を回転させて横枝管接続部を横枝管の管軸にあうように微調整でき、施工性がよくなる。
なお、下部継手部の差口部も切断して床スラブからの突出長さを調整できるようにしてもよい。
【００１５】
また、上記継手は、鋳鉄、塩化ビニル樹脂などの合成樹脂のいずれで形成されていてもよい。
ただ、鋳鉄製のものの場合、通常、防錆塗装が施されているので、上記のように寸法調整のために切断する場合は、切断面に施工現場で防錆塗料等を塗布して防錆加工する必要がある。
【発明の効果】
【００１６】
本発明にかかる多層建築物の排水立て管路の改修構造は、各フロアーに設けられた排水機器から床スラブ上面に沿って設けられた上面側既設横枝管の横枝管接続部を、各フロアーの床スラブの上面側に有する第１の既設排水立て管路と、各フロアーに設けられた排水機器から床スラブを貫通して設けられた貫通既設横枝管の横枝管接続部を、各フロアーの床スラブの下面側に有する第２の既設排水立て管路とを、少なくとも１本ずつ並ぶように備える多層建築物の排水立て管路改修構造であって、胴部の上部に少なくとも１つの横枝管接続部を有し、胴部の下端が差口部となり、胴部内径が上端に接続される排水立て管の内径より大きい改修用の第１集合継手が、第１の既設排水立て管路及び第２の既設排水立て管路のいずれか一つの既設排水立て管路の撤去によって生じた床スラブ貫通孔に、前記差口部の下端部が床スラブの下方から突出し、前記横枝管接続部が床スラブ上方に配置された状態で床スラブに支持され、前記床スラブの下方に突き出た前記差口部下端が改修用の第２集合継手の上端に設けられたゴム輪付き受口にワンタッチ接続され、第２集合継手の下端が下の階の排水立て管に接続された１本の更新排水立て管路が形成されるとともに、第１の既設排水立て管路及び第２の既設排水立て管路に接続されていた各フロアーの排水機器が横枝管を介して各フロアーの床スラブの上下で前記更新排水立て管路に接続されている。
【００１７】
したがって、１つの既設排水立て管路のみを撤去すれば、他の既設排水立て管路を撤去する必要がない。
すなわち、既設排水立て管路の撤去によって、床スラブを、ハツル面積を少なくすることができ、ハツリによる床スラブの強度の劣化を防ぐことができる。また、床スラブ貫通孔内を鉄筋補強するなどの後施工も必要がなくなり、改修コストを低減できる。
さらに、ハツリによる騒音を極力減らすことができるので、居住民にできるだけ、負担をかけることなく、単管式の排水立て管路への改修を容易に行うことができる。
【図面の簡単な説明】
【００１８】
【図１】本発明にかかる多層建築物の排水立て管路の改修構造の１つの実施の形態をあらわす１つのフロアー部分の断面図である。
【図２】図１の改修構造の第１集合継手として用いられる集合継手の１つの実施の形態をあらわす正面図である。
【図３】図２の集合継手の平面図である。
【図４】図３のＸ−Ｘ線断面図である。
【図５】図２の集合継手の分離状態の正面図である。
【図６】図２の集合継手の受口に用いられるゴムの断面斜視図である。
【図７】図２の集合継手の受口への排水立て管の接続状態を説明する断面図である。
【図８】図１の改修構造の第２集合継手として用いられる集合継手の１つの実施の形態をあらわす正面半断面図である。
【図９】図８のＹ−Ｙ線断面図である。
【図１０】本発明にかかる多層建築物の排水立て管路の改修方法の第１集合継手の床スラブへの設置状態を説明する１つのフロアー部分の断面図である。
【図１１】第２集合継手と、排水立て管との接続方法を説明する図である。
【図１２】第１集合継手と、排水立て管との接続方法を説明する図である。
【図１３】第２集合継手と、第１集合継手との接続方法を説明する図である。
【図１４】従来の多層建築物の排水構造を説明する図である。
【発明を実施するための形態】
【００１９】
以下に、本発明を、その実施の形態をあらわす図面を参照しつつ詳しく説明する。
図１は、本発明の多層建築物の排水立て管路の改修構造（以下、「本発明の改修構造」と記す）の１つの実施の形態をあらわしている。
【００２０】
図１に示すように、この改修された排水立て管路Ａは、各フロアーの床スラブＳに第１集合継手１が、その下部継手部を構成する下部継手部材５の差口部５１ａが床スラブＳを貫通し床スラブＳの下面から突出している。
第１集合継手１は、下部継手部材５と床スラブ貫通孔Ｈとの間に充填されたモルタルＭ及び上部継手部を構成する上部継手部材４がアングルなどで形成された架台３によって床スラブＳに支持されることによって位置固定されている。
第１集合継手１の上部受口部４１ｂには、排水立て管Ｐ１の下端がワンタッチ接続されている。
【００２１】
第１集合継手１は、その下端の差口部５１ａが床スラブＳの下面より下方に突出していて、後述する第２集合継手２の上部受口部２１にワンタッチ接続されている。
第２集合継手２の下端には下の階の排水立て管Ｐ１の上端部が接続されている。
【００２２】
そして、この排水立て管路Ａには、図１４における各フロアーの床スラブＳの上側に設けられた第１の既設排水立て管路１００に繋がっていた排水機器の横枝管Ｐ２（更新時に新規につなぎ直した部分も含む）が上部継手部材４に設けられた横枝管接続部４２に接続され、第２の既設排水立て管路２００に繋がっていた排水機器の床スラブＳを貫通する横枝管Ｐ３，Ｐ４が第２集合継手２の横枝管接続部２５，２５に接続される。
【００２３】
つぎに、図２〜図７を用いて、上記第１集合継手１の構造について詳述する。
この第１集合継手１は、図２、図４、図５に示すように、上部継手部を構成する上部継手部材４と、下部継手部を構成する下部継手部材５と、締め付けリング６と、リング状パッキン７と、４本のボルト８と、４つのナット９と、を備えている。
上部継手部材４は、鋳鉄で形成されていて、表面全体（外周面及び内周面）が防錆塗料（例えば、エポキシ樹脂系粉体塗料）等によって防錆加工されていて、本体部４１と横枝管接続部４２とを備えている。
また、本体部４１は、図６及び図７に示すゴム輪４５が内装され、排水立て管Ｐ１の下端が、ワンタッチ接続される上部受口部４１ｂを上端に有し、その下方に横枝管接続部４２を備えた上部胴部４１ａを備えている。
【００２４】
ゴム輪４５は、ＥＰＤＭなどの合成ゴムで形成されていて、図６に示すように、上部筒部４６ａと、下部筒部４６ｂとを有する本体部４６と、上部筒部４６ａの上端側から下端側に向かって徐々に縮径し、下端側が排水立て管の外径より小径になったリップ部４７とを備えている。
リップ部４７は、排水立て管Ｐ１の下端部が上部受口部４１ｂ内に挿入されると、図７に示すように、排水立て管Ｐ１の外径より小径部分が排水立て管Ｐ１の外周面に密着した状態で外側に広がり、外周面が上部筒部４６ａの内壁面にほぼ密着する。
そして、排水立て管Ｐ１がさらに押し込まれることによって、下部筒部４６ｂの内周面が排水立て管Ｐ１の外周面に水密に密着する。
【００２５】
すなわち、排水立て管Ｐ１は、その下端部が上部受口部４１ｂ内に挿入されることによって、ワンタッチで、その軸が上部受口部４１ｂの軸に平行に止水された状態で支持される。
なお、ゴム輪４５は、少なくとも排水立て管Ｐ１が挿入される部分には、滑剤を塗布しておくことが好ましい。滑剤は、工場出荷時に予め塗布されていても構わないし、施工現場で塗布するようにしても構わない。
【００２６】
上部胴部４１ａは、その内径が排水立て管Ｐ１の内径より大きい円筒状をしていて、後述する横枝管接続部４２より下側の部分の管軸方向の長さが、床スラブＳの厚みや、接続される横枝管Ｐ２の高さ位置に合わせることができるように、例えば、下端部を最大１２０ｃｍ切断しても下部継手部材５に接続可能な長さにされている。
また、上部胴部４１ａは、図３、図４に示すように、内周面の横枝管接続部４２の開口部より少し上側に旋回羽根４３が設けられ、旋回羽根４３の両側に堰板４４が設けられている。
横枝管接続部４２は、上記上部受口部４１ｂと同様にゴム輪が設けられた受口形状になっていて、横枝管Ｐ２がワンタッチ接続できるようになっている。
【００２７】
下部継手部材５は、鋳鉄で形成されていて、表面全体（外周面及び内周面）が防錆塗料等によって防錆加工され、図２、図４、図５に示すように、短管継手形状をしている。
そして、下部継手部材５は、図２及び図４に示すように、本体部５１と、上部受口部５２とを備えている。
【００２８】
本体部５１は、削り出しによって、外周面が真円に平滑に加工形成された差口部５１ａを備えた円筒形状をしていて、内径が上部胴部４１ａの内径と同じになっている。
差口部５１ａは、床スラブＳの厚みや、接続される横枝管Ｐ３，Ｐ４の高さ位置に合わせることができるように、下端部を最大１７０ｃｍ切断しても第２集合継手２にワンタッチ接続できるようになっている。
【００２９】
上部受口部５２は、図４に示すように、リング状のパッキン７の下端部が嵌り込むとともに、上端に締め付けリング６に対向するように配置されるフランジ部５２ａを備えている。
【００３０】
締め付けリング６は、鋳鉄で形成されていて、表面全体（外周面及び内周面）が防錆塗料等によって防錆加工されている。
また、締め付けリング６は、図４に示すように、リング状のパッキン７の上端部がはまり込むようになっている。
ボルト８及びナット９は、ステンレス鋼で形成されている。
【００３１】
そして、この第１集合継手１は、図４に示すように、上部継手部材４の上部胴部４１ａの下端部がパッキン７を介して下部継手部材５の上部受口部５２に嵌合されるとともに、ボルト８をフランジ部５２ａ側から締め付けリング６側に挿通させ、ナット９をボルト８に締めこむことによって、パッキン７がフランジ部５２ａと締め付けリング６との間で圧縮されて、上部胴部４１ａに下端部が水密に密着している。すなわち、上部継手部材４と下部継手部材５とが分離自在に一体化されている。
【００３２】
つぎに、図８及び図９を用いて、第２集合継手２の構造を詳述する。
第２集合継手２は、鋳鉄で形成されていて、表面全体（外周面及び内周面）が防錆塗料等によって防錆加工されている。
【００３３】
また、第２集合継手２は、図８に示すように、大径筒部２０と、上部受口部２１と、テーパ筒部２２と、下部受口部２３とを備えていて、積水化学工業株式会社製の商品名「ＡＤスリム」とほぼ同じ構造となっている。
大径筒部２０は、第１集合継手１の上部胴部４１ａ及び本体部５１と同じ内径をしていて、図８及び図９に示すように、３つの横枝管接続部２５を備えている。
【００３４】
各横枝管接続部２５は、図示していないが、アダプターを装着することで、径の異なる横枝管が接続可能になっている。また、使用しない横枝管接続部２５は、盲板を取り付けることによって水密の封止ができるようになっている。
上部受口部２１は、上記ゴム輪４５と同じ形状のゴム輪が内装され、第１集合継手１の差口部５１ａがワンタッチ接続されるようになっている。
【００３５】
テーパ筒部２２は、大径筒部２０下端から下方に延出し、排水立て管Ｐ１の内径とほぼ同じになるまで、断面６角形状の螺旋状に徐々に縮径している。
下部受口部２３は、第１集合継手１の下部継手部材５に設けられた上部受口部２１と同様の形状をしていて、パッキン７と同様の形状をしたパッキンを介して排水立て管の上端部が嵌合され、フランジ部２３ａと締め付けリングとの間でパッキンを圧縮して、排水立て管Ｐ１の上端部を水密状態に接続できるようになっている。
【００３６】
第２集合継手２は、図９に示すように、第１旋回羽根２７と、第２旋回羽根２6とを内部に備えている。
第１旋回羽根２７及び第２旋回羽根２６は、その上端がそれぞれ横枝管接続部２５の下端より下方に位置し、接続された排水立て管の管軸方向に投影した投影面において、排水立て管の投影内断面積をＳ１、第１旋回羽根の排水立て管の内側に入り込む部分の投影面積をＳ２、第２旋回羽根の排水立て管の内側に入り込む部分の投影面積をＳ３としたとき、０．２×Ｓ１≦Ｓ２≦０．３×Ｓ１、及び、Ｓ３≦０．０５×Ｓ１の条件を満足するように設けられていることが好ましい。
【００３７】
つぎに、図１及び図１０〜図１４を用いて、本発明の改修方法の１例を工程順に詳述する。
（１）図１４に示す第１の既設排水立て管路１００を各フロアーの排水機器と接続された横枝管Ｐ２から切り離し、床スラブＳをハツリ、第１の既設排水立て管路１００を撤去する。
（２）図１０に示すように、生じた床スラブＳの床スラブ貫通孔Ｈに第１集合継手１を床スラブＳの上方から差口部５１ａを挿入して、図示していないが、下方に設けられた継手のワンタッチ接続可能な上部受口（先に第２集合継手２が設置されている場合は、第２集合継手２の上部受口部２１）に差し込み嵌合するとともに、架台３によって、床スラブＳの上面に支持する。
そして、床スラブ貫通孔Ｈと第１集合継手１との間をモルタルＭによって埋める。
（３）図１１に示すように、第２集合継手２の下端に所定の長さ（施工状態で第２集合継手２の上端が床スラブＳの下面から２０ｃｍ以上下方になる長さ）の排水立て管Ｐ１を接続する。
（４）図１２に示すように、第２集合継手２が上端に接続された排水立て管Ｐ１の下端を先に床スラブＳに支持固定された第１集合継手１の上部受口部４１ｂにワンタッチ接続する。
このワンタッチ接続によって、図１３に示すように、第２集合継手２の上部受口部２１が上のフロアーの床スラブ貫通孔Ｈを臨むように第２集合継手２が排水立て管Ｐ１を介して支持される。
（５）図１３に示すように、上のフロアーの床スラブ貫通孔Ｈを介して、（２）の工程とどうように、を上記のように固定された排水立て管Ｐ１の下端を、第１集合継手１を床スラブＳの上方から差口部５１ａを挿入して第２集合継手２の上部受口部２１にワンタッチ接続する。
（６）上記（２）〜（５）を最上階のフロアーまで繰り返し行って、図１に示す排水立て管路Ａを形成する。
（７）第２の既設排水立て管路２００に接続された横枝管Ｐ３，Ｐ４をその床スラブ貫通部分を残した状態で既設排水立て管路２００から切り離す。
（８）必要に応じて既設排水立て管路２００の床スラブＳを貫通する部分以外を取り除く。
（９）第２の既設排水立て管路２００に接続された排水機器をその排水機器が接続されていた横枝管Ｐ３，Ｐ４の残存床スラブ貫通部分を用いて新たに設けられ横枝管Ｐ３，Ｐ４を介して第２集合継手２の横枝管接続部に接続する。
【００３８】
この改修方法は、上記のように、床スラブＳの、第１の既設排水立て管路１００を撤去する際に既設排水立て管路１００の床スラブ貫通部分の周囲のみをハツルだけであるので、床スラブＳを、ハツル面積を少なくすることができ、ハツリによる床スラブＳの強度の劣化を極力防ぐことができる。また、床スラブ貫通孔Ｈ内を鉄筋補強するなどの後施工も必要がなくなり、改修コストを低減できる。すなわち、居住民にできるだけ、負担をかけることなく、排水立て管路の改修を容易に行うことができる。
また、第１集合継手１の差口部５１ａを、床スラブ貫通孔Ｈを介して床スラブＳ下方に突出させ、第２集合継手２の上部受口部２１にワンタッチ接続させるだけでよいので、第１集合継手１と第２集合継手２との接続の際に、下のフロアーの天井裏まで作業者が上がるという高所作業が不要になり、作業の安全性も確保できる。
【００３９】
なお、本発明は、上記の実施の形態に限定されない。例えば、上記の実施の形態では、第１集合継手１の施工毎に、モルタルＭを埋め込むようにしていたが、モルタルＭの埋め込みは、排水立て管路Ａが全て完成したのちに行っても構わない。
上記の実施の形態では、横枝管Ｐ２〜Ｐ４の接続を、排水立て管路Ａの完成後に行っていたが、各フロアー上下に第１集合継手１の横枝管接続部４２および第２集合継手２の横枝管接続部２５が位置固定されるごとに行うようにしても構わない。
【００４０】
上記の実施の形態では、第２の既設排水立て管路２００の横枝管Ｐ３，Ｐ４の既設排水立て管路２００からの切り離しを、排水立て管路Ａの完成後に行っていたが、排水立て管路Ａの施工前に行なうようにしても構わない。
上記の実施の形態では、上部継手部材、下部継手部材１及び第２集合継手が鋳鉄製であったが、塩化ビニル樹脂等の合成樹脂製のものであっても構わない。ただし、床スラブ貫通部は、積水化学工業株式会社製の商品名「フィブロック」などの耐火熱膨張テープを巻回したり、積水化学工業株式会社製の商品名「エスロン耐火ＶＰパイプ」のようなそれ自体に耐火構造を備えているものを用いる必要がある。
【００４１】
上記の実施の形態では、上部継手部材４に横枝管接続部が１つしか設けられていなかったが、２つ以上設けられていても構わない。
上記の実施の形態では、第１集合継手１を、架台３を介して床スラブ上面で支持するようにしていたが、第２集合継手２も床スラブ下面に支持されたラック等を介して床スラブＳに支持させるようにしても構わない。
【００４２】
上記の実施の形態では、第１の既設排水立て管路１００と、第２の既設排水立て管路２００が１本ずつ合計２本の既設排水立て管路が平行に設けられていたが、３本以上の既設排水立て管路を１本の排水立て管路に改修するようにしても構わない。
【符号の説明】
【００４３】
Ａ  排水立て管路（改修排水立て管路）
Ｈ  床スラブ貫通孔
Ｓ  床スラブ
Ｐ２  横枝管（上面側既設横枝管）
Ｐ３，Ｐ４  横枝管（貫通既設横枝管）
Ｐ１  排水立て管
１  第１集合継手（本発明の集合継手）
２  第２集合継手
２０  大径筒部
２１  上部受口部（ゴム輪付き受口）
２２  テーパ筒部
２３  下部受口部
２３ａ  フランジ部
３  架台
４  上部継手部材（上部継手部）
４１  本体部
４１ａ  上部胴部
４１ｂ  上部受口部
４２  横枝管接続部
４５  ゴム輪
５  下部継手部材（下部継手部）
５１  本体部
５１ａ  差口部
５２  上部受口部
５２ａ  フランジ部
６  締め付けリング
７  リング状のパッキン
８  ボルト
９  ナット
１００  第１の既設排水立て管路
１１１  横枝管接続部（既設排水立て管路１００）
２１１，２２１  横枝管接続部（既設排水立て管路２００）
２００  第２の既設排水立て管路
【図１】
0005702633.tif 000002
【図２】
0005702633.tif 000003
【図３】
0005702633.tif 000004
【図４】
0005702633.tif 000005
【図５】
0005702633.tif 000006
【図６】
0005702633.tif 000007
【図７】
0005702633.tif 000008
【図８】
0005702633.tif 000009
【図９】
0005702633.tif 000010
【図１０】
0005702633.tif 000011
【図１１】
0005702633.tif 000012
【図１２】
0005702633.tif 000013
【図１３】
0005702633.tif 000014
【図１４】
0005702633.tif 000015